(57)【要約】【課題】マニュアルに従って、部品を設定した後に、設定順序を確認することができ、ミスを発見することができ、設定が完了したものとマニュアルとを対応付けることができる部品一体型マニュアル装置を提供することを目的とする。【解決手段】１枚の紙を折り畳んだ形状を具備し、部品の設定手順が記載されているマニュアルを有し、また、上記マニュアルの所定の部位であって、上記設定手順が記載されている箇所の近傍の部位に、直接的または間接的に部品が貼り付けられている部品一体型マニュアル装置である。【選択図】図１
2009092829.tif 000002
【特許請求の範囲】
【請求項１】
１枚の紙を折り畳んだ形状を具備し、部品の設定手順が記載されているマニュアルと；
上記マニュアルの所定の部位であって、上記設定手順が記載されている箇所の近傍の部位に、直接的または間接的に貼り付けられている部品と；
を有することを特徴とする部品一体型マニュアル装置。
【請求項２】
請求項１において、
上記部品は、箱または袋に収納され、上記箱または袋は、取り外しが可能なように上記マニュアルの所定の部位に貼り付けられることによって、上記設定手順が記載されている箇所の近傍の部位に部品が間接的に貼り付けられ、
上記マニュアルの奥行きの長さは、複数の上記箱または袋のうちで、奥行き方向の長さが最も長い箱または袋の奥行き方向の長さとほぼ同じ長さであり、
上記マニュアルを折り畳んだ場合における上記マニュアルの１頁の幅は、上記箱または袋の幅と高さとの合計値が最大である箱における上記幅と上記高さとの合計値であることを特徴とする部品一体型マニュアル装置。
【請求項３】
請求項１において、
上記マニュアルから、上記部品または上記部品が収納されている箱または袋を取り外し、上記マニュアルを平面に展開した形は長方形であり、
上記設定手順が、上記マニュアルの長辺に沿って、順に記載され、上記部品の設定手順、上記部品が交互に並べられ、
上記部品の全てが、上記マニュアルに貼り付けられていることを特徴とする部品一体型マニュアル装置。
【請求項４】
請求項１において、
上記マニュアルは、冊子状に折り畳まれていることを特徴とする部品一体型マニュアル装置。
【請求項５】
請求項１において、
上記部品、上記箱または上記袋は、一方向にのみ配列され、または、横方向の配列と縦方向の配列とが混在していることを特徴とする部品一体型マニュアル装置。
【請求項６】
請求項１において、
１つの上記マニュアルに、部品と、部品を収納している箱または袋とが混在して貼り付けられていることを特徴とする部品一体型マニュアル装置。
【請求項７】
請求項１において、
上記部品または部品が収納されている箱または袋が貼り付けられている上記マニュアルの貼付面に、上記部品の名称、上記部品の絵または設定手順が記載されていることを特徴とする部品一体型マニュアル装置。
【請求項８】
請求項２において、
上記箱または上記袋に、ＣＤまたは書類が入れられていることを特徴とする部品一体型マニュアル。
【発明の詳細な説明】
【技術分野】
【０００１】
本発明は、部品一体型マニュアル装置に関する。
【背景技術】
【０００２】
従来、電子マニュアルの情報を容易に認識できるようにし、全体を俯瞰しやすくするために、本のマニュアルに擬似した形式の表示方式によって、表示装置に出力する発明が知られている（たとえば、特許文献１参照）。
【特許文献１】特開平０５−２５７９９１号公報
【発明の開示】
【発明が解決しようとする課題】
【０００３】
部品の設定マニュアルにおいて、部品とマニュアルとを対応付ける場合、部品の名称または部品の所在を含む情報によってのみ、部品を特定することができる。
【０００４】
したがって、上記従来例において、マニュアルに沿って、部品を設定した後に、設定順序を確認することができず、ミスを発見することができず、設定が完了したものとマニュアルとを対応付けることができないという問題がある。
【０００５】
本発明は、マニュアルに従って、部品を設定した後に、設定順序を確認することができ、ミスを発見することができ、設定が完了したものとマニュアルとを対応付けることができる部品一体型マニュアル装置を提供することを目的とする。
【課題を解決するための手段】
【０００６】
本発明は、１枚の紙を折り畳んだ形状を具備し、部品の設定手順が記載されているマニュアルを有し、また、上記マニュアルの所定の部位であって、上記設定手順が記載されている箇所の近傍の部位に、直接的または間接的に部品が貼り付けられている部品一体型マニュアル装置である。
【発明の効果】
【０００７】
本発明によれば、マニュアルに沿って、部品を設定した後に、設定順序を確認することができ、ミスを発見することができ、設定が完了したものとマニュアルとを対応付けることができるという効果を奏する。
【発明を実施するための最良の形態】
【０００８】
発明を実施するための最良の形態は、以下の実施例である。
【実施例１】
【０００９】
図１は、本発明の実施例１である部品一体型マニュアル装置１００を示す斜視図である。
【００１０】
部品一体型マニュアル装置１００は、マニュアルＭ１と、部品Ｐ１が収納されている箱２１と、部品Ｐ２が収納されている箱２２とを有する。なお、図１に示す実施例では、部品が収納されている箱が２つのみ記載されているが、部品一体型マニュアル装置１００に、３つ以上の箱が設けられていてもよい。
【００１１】
マニュアルＭ１は、図３に示すように、１枚の紙を折り畳んだ形状を具備し、部品Ｐ１、Ｐ２の設定手順３１、３２が記載されている。設定手順３１は、部品Ｐ１を使った設定手順であり、設定手順３２は、部品Ｐ２を使った設定手順である。
【００１２】
マニュアルＭ１の所定の部位であって、設定手順３１の記載箇所の近傍の部位に、箱２１が貼り付けられている。設定手順３２の記載箇所の近傍の部位に、取り外しが可能なように、箱２２が貼り付けられている。なお、部品Ｐ１、Ｐ２が、箱２１、２２に収納されずに、マニュアルＭ１に直接貼り付けられていてもよい。特に、部品が箱状のものである場合、箱に収納する必要がない。
【００１３】
また、マニュアルＭ１の奥行きの長さＬは、部品Ｐ１、Ｐ２が収納されている複数の箱のうちで、奥行き方向の長さが最も長い箱の奥行き方向の長さである。
【００１４】
つまり、部品Ｐ１、Ｐ２は、マニュアルの所定の部位であって、上記設定手順が記載されている箇所の近傍の部位に、直接的または間接的に貼り付けられている部品である。
【００１５】
図２は、部品Ｐ１、Ｐ２を取り外した場合におけるマニュアルＭ１を示す斜視図である。
【００１６】
図２において、マニュアルＭ１における部品Ｐ１、Ｐ２を貼り付ける貼付面１１、１２の各面に、該部品Ｐ１、Ｐ２の名称４１、４２、または該部品Ｐ１、Ｐ２の概観図５１、５２、または設定手順６１、６２のいずれか１つ以上が、記載されている。つまり、各貼付面には、貼り付けられた部品の名称、概観図、設定方法（設定方法については、部品の設定方法であっても、その続きであってもよい）のうちの、少なくとも１つが記載されていればよい。
【００１７】
マニュアルＭ１から、部品または部品が収納されている箱を取り外し、上記マニュアルを平面に展開した形は、図２に示すように、長方形であり、設定手順３１、３２が、マニュアルＭ１の長辺に沿って、順に記載され、部品と設定手順とが交互に配置されている。つまり、部品Ｐ１、部品Ｐ１の設定手順３１、部品Ｐ２、部品Ｐ２の設定手順３２の順で、配置されている。
【００１８】
図３は、部品一体型マニュアル装置１００において、箱２１、２２、２３、２４、２５を貼り付けながら、マニュアルＭ１を折り畳んでいる状態を示す正面図である。
【００１９】
図３では、マニュアルＭ１の折り畳み方をよく理解できるように、箱２１、２２の他に、３つの箱２３〜２５を使用し、箱同士の間隔を少し広げて記載してある。また、箱２１〜２５を、垂直方向にのみ積み上げて、マニュアルＭ１を箱２１〜２５に貼り付けながら、折り曲げた状態を示す。
【００２０】
図３において、マニュアルＭ１のうちで、箱２１〜２５を貼り付けている貼付面１１〜１５を太線で示し、設定手順３１〜３５が記載されている部分を細線で示してある。
【００２１】
つまり、箱２１〜２５の全てがマニュアルＭ１に貼り付けられている。そして、マニュアルＭ１は、冊子状に折り畳まれている。すなわち、マニュアルＭ１がジグザグ状に畳まれている。
【００２２】
図４は、部品一体型マニュアル装置１００におけるマニュアルＭ１から箱を取り外した後に、マニュアルＭ１を畳んだ状態を示す図である。
【００２３】
マニュアルＭ１を折り畳んだ場合におけるマニュアルＭ１の１頁（折り畳んだ場合の１頁）の幅Ｗｍは、箱２１、２２のうちで、その幅Ｗと、その高さＨとの合計値が最大である箱における上記幅Ｗと上記高さＨとの合計値である。
【００２４】
このマニュアルＭ１の１頁（貼付面１５）の上に、設定手順３５が載せられている。この上に、マニュアルＭ１の次の１頁（貼付面１４）が載せられ、設定手順３４が載せられている。これを繰り返し、最上段に、マニュアルＭ１の１頁（貼付面１１）の上に、設定手順３１が載せられている。つまり、マニュアルＭ１から箱を取り外した状態で、マニュアルＭ１を畳むと、蛇腹上に、ジグザグに畳まれる。
【００２５】
マニュアルＭ１を畳む際、背表紙側の折り込み部分を粘着テープ等で貼り合わせるようにしてもよく、このようにすれば、折り込み部分が開かない。また、マニュアルＭ１の表紙を、マニュアルの１頁の幅Ｗｍよりも長くし、裏表紙側へ折り返して固定するようにしてもよく、このようにすれば、マニュアルＭ１の厚みを抑えることができる。
【００２６】
次に、部品一体型マニュアル装置１００を作成する場合の動作について、説明する。
【００２７】
図５−１、図５−２、図５−３は、部品一体型マニュアル装置１００を作成する場合の動作を示すフローチャートである。
【００２８】
マニュアルＭ１が帯状の長方形である場合について考える。また、箱２１〜２５のそれぞれの高さを、Ｈとし、それぞれの幅を、Ｗとし、それぞれの奥行きを、Ｌとする。なお、箱における各高さは同一である必要はなく、各幅も同一である必要はなく、奥行きも同一である必要はない。
【００２９】
Ｓ１で、箱２１〜２５のそれぞれの貼付面１１〜１５を決める。
【００３０】
Ｓ２で、全ての箱２１〜２５のそれぞれについて、その高さＨ、幅Ｗ、奥行きＬを測る。
【００３１】
Ｓ３で、高さＨと幅Ｗとの合計値が最大である箱を選び、この最大である合計値を、マニュアルＭ１の１頁の幅Ｗｍであるとする。奥行きＬが最大である箱を選び、この最大である奥行きＬを、マニュアルＭ１の奥行きＬｍとする。
【００３２】
Ｓ４で、箱の個数を数える。箱が１個であれば、Ｓ５へ遷移し、箱が２個以上であれば、Ｓ６へ遷移する。Ｓ５で、箱の側面をマニュアルＭ１に貼り付ける。Ｓ６で、設定の流れに沿って、箱を並べる順序を決める。
【００３３】
Ｓ７では、マニュアルＭ１の１頁の幅Ｗｍを基準にし、マニュアルＭ１の１頁分を１単位として、Ｓ３で決めたマニュアルＭ１の１頁分の折り目を決める。Ｓ８で、箱の高さＨと幅Ｗとの合計値が最大である箱以外の箱のうちで、高さＨと幅Ｗとの合計が最大である合計値の半分以下の箱（箱Ａとする）と、半分以上である箱（箱Ｂとする）を判別する。
【００３４】
Ｓ９で、設定の流れ順に、箱を並べたときに、箱Ｂの間に、箱Ａが２個以上並ぶ場合、並んだ箱Ａのうち高さがもっとも高い箱Ａの高さＨと、並んだ箱Ａの個数分の幅Ｗとの和が、マニュアルＭ１の幅Ｗｍよりも小さくなる個数分だけ並んだ箱Ａを、箱ＡＡとし、残りの箱Ａが２個以上存在している間、繰り返し処理を行う。全ての箱Ａについて処理が終了すると、Ｓ３１へ遷移する。また、箱ＡＡとした残りの箱Ａが１個である場合、または２つの箱Ｂの間に、箱Ａが２個以上並ばない場合、Ｓ１０へ遷移する。
【００３５】
箱ＡＡを、マニュアルＭ１に設置する位置を決める。ただし、頁の境目を、箱ＡＡの本体が跨がないようにし、頁のどちらかの端から、箱ＡＡの貼付面へ、設定の流れ方向に、高さＨだけ伸ばした部位が、隣の頁へはみ出ないようにする。また、箱ＡＡを貼り付ける頁間に、箱ＡＡを置かない頁を１頁以上とる（Ｓ３１）。
【００３６】
箱ＡＡ同士の距離が、高さＨが大きい方の箱ＡＡの高さＨＡｘを偶数個分とることができる長さである場合、Ｓ３３へ遷移する。高さＨが大きい方の箱ＡＡの高さＨＡｘを奇数個とることができる長さである場合、Ｓ３４へ遷移する（Ｓ３２）。
【００３７】
Ｓ３１で決定したＨＡｘの長さを折り目とし、高さＨＡｘに満たない分は、その分の半分を折り目とする（Ｓ３３）。
【００３８】
Ｓ３１で決定した偶数個分の高さＨＡｘ分で折り目をとり、残りＨＡｘの長さ分とＨＡｘ分の長さに満たない分とは、それらの合計値の半分を折り目とする（Ｓ３４）。
【００３９】
箱ＡＡの最大の高さＨＡｘと、各箱ＡＡの高さＨｙとの差分を、それぞれ計算し、梱包材の高さを、ＤＡとする。高さＨＡｘの箱Ａ以外の箱に、梱包材を入れる。この梱包材の大きさは、高さＨＤＡ、幅ＷＡ、奥行きＬである（Ｓ３５）。
【００４０】
箱ＡＡのマニュアルＭ１ヘの貼付面に、箱ＡＡの説明または図を記載する（Ｓ３６）。
【００４１】
箱ＡＡを水平方向に寄せるようにして、折り目に沿ってマニュアルＭ１を畳み、これら畳んだ箱ＡＡを、箱Ｂとする（Ｓ３７）。その後、Ｓ９に戻る。そして、Ｓ９において、２つの箱Ｂの間に、箱Ａが２個以上並ばないと判断されれば、Ｓ１０へ遷移し、２つの箱Ｂの間に、箱Ａが２個以上並んでいると判断されれば、Ｓ３１〜Ｓ３７の処理を繰り返す。
【００４２】
すなわち、Ｓ１０以降の処理において、全ての箱を箱Ｂとして畳み方等を考える。この場合、箱Ｂの間に箱Ａが２つ以上並び、水平方向にまとめて箱Ｂを考えることができれば、箱ＡＡとしてスペースの効率化を図った上で、箱ＡＡの呼称を箱Ｂとする（Ｓ３７）。そして、箱Ｂの間に箱Ａが１つしかなければ、その箱Ａを箱Ｂとし（Ｓ１０）、図５―３（３）に示す処理に進む。実際には、１個の箱Ａを箱Ｂとするときに、梱包材を入れて箱Ｂの大きさにするようにしてもよい。
【００４３】
箱ＢをマニュアルＭ１に貼り付ける位置を決める。ただし、頁の境目を箱本体が跨がないようにし、箱の貼付面から設定の流れ方向へ、頁のどちらかの端から、Ｈだけ伸ばした点が、隣の頁へはみ出ないようにする。また、箱を置く頁間に、箱を置かない頁を１頁以上とる（Ｓ５１）。
【００４４】
設定手順３３のように、隣り合う箱の間に、偶数頁分の長さの設定手順が存在する場合、Ｓ５４へ遷移する。奇数頁分の長さがとれる場合、Ｓ５３へ遷移する（Ｓ５２）。
【００４５】
偶数頁分に設定手順が記載されている場合、頁の端を折り目とする。残る１頁と、１頁に満たない分に設定手順が記載されている部分は、それらの半分の位置に折り目を設ける（Ｓ５３）。
【００４６】
偶数頁分に設定手順が記載されている場合、そのまま、頁の端を折り目とし、偶数頁分の長さの残りの部分の半分の部位に、折り目をつける（Ｓ５４）。
【００４７】
高さＨと幅Ｗとの合計値が最大である箱以外の箱に、梱包材を入れる。この大きさを、高さＨ、幅Ｗｍ−Ｗ、奥行きＬとする（Ｓ５５）。
【００４８】
箱にマニュアルＭ１を貼り付ける貼付面に、箱の説明または箱の概観図を記載する（Ｓ５６）。
【００４９】
箱を垂直方向に積み上げるようにし、折り目に沿ってマニュアルＭ１を挟むように畳む。その後に、Ｓ１１へ遷移し（Ｓ５７）、終了する（Ｓ１１）。
【００５０】
部品一体型マニュアル装置１００は、マニュアルＭ１に箱２１〜２５が貼り付けられたままの状態で、マニュアルＭ１が畳まれている。また、再度設定する際やミスの振り返りが容易となるので、箱２１〜２５を取り外した後でも、マニュアルＭ１を冊子の形状に折り畳むことができる。
【実施例２】
【００５１】
図６は、本発明の実施例２である部品一体型マニュアル装置２００を示す正面図である。
【００５２】
部品一体型マニュアル装置２００は、箱２１〜２３、２４ａ、２５ａをマニュアルＭ２に貼り付けながら、マニュアルＭ２を折り畳んだ装置である。
【００５３】
部品一体型マニュアル装置２００は、部品が収納されている箱２１〜２３を、垂直方向に積み上げるだけではなく、箱２４ａ、２５ａを、水平方向に並べて、マニュアルＭ２を折り畳む。なお、マニュアルＭ２は、基本的には、マニュアルＭ１と同じである。
【００５４】
また、部品一体型マニュアル装置２００は、マニュアルＭ２に箱２１〜２３、２４ａ、２５ａが貼り付けられたままの状態で、マニュアルＭ２が畳まれている。さらに、再度設定する際やミスの振り返りが容易であるので、箱２１、２２、２３、２４ａ、２５ａを取り外した後でも、マニュアルＭ２を冊子の形状に折り畳ことができる。
【００５５】
なお、部品一体型マニュアル装置１００、２００は、マニュアルに、５つの部品が設けられているが、３つ、４つ、６つ以上の部品を設けるようにしてもよい。
【００５６】
上記実施例によれば、部品の設定手順を、マニュアルを使って説明する際に、部品をマニュアルヘ直接貼付すること（Ｓ５、Ｓ３１、またはＳ５１）によって、図や文章ではなく使用する部品そのもので対象を示すことができる。
【００５７】
さらに、上記実施例によれば、部品が手順に沿って順に並んで貼付されている（Ｓ６、Ｓ３１、またはＳ５１）ので、部品の取り違えがなく、選択した部品が正しいかどうかの判断に迷うことがない。
【００５８】
また、上記実施例において、部品を取り外した後に、マニュアルを折り畳むと、各頁が同じサイズである冊子にすることができ、部品を取り外した後のマニュアルとの貼付面に部品の絵や名称が書いてあるので、再設定することが容易であり、また、設定ミスを容易に振り返ることができる。
【００５９】
上記実施例において、部品Ｐ１〜Ｐ５をマニュアルＭ１、Ｍ２に直接貼り付けるようにしてもよい。また、上記のように、部品Ｐ１〜Ｐ５が箱２１〜２５に入れられ、この箱２１〜２５が、マニュアルＭ１、Ｍ２に貼り付けられていてもよい。つまり、部品Ｐ１〜Ｐ５が、マニュアルＭ１、Ｍ２に、直接的または間接的に貼り付けられている。
【００６０】
さらに、部品または部品を収納している箱は、一方向にのみ配列され、または、横方向の配列と縦方向の配列とが混在している。さらに、１つのマニュアルに、部品と、部品を収納している箱とを混在して貼り付けるようにしてもよい。
【００６１】
また、箱の代わりに、袋を使用するようにしてもよい。なお、上記箱または上記袋に、ＣＤや書類を入れるようにしてもよい。
【図面の簡単な説明】
【００６２】
【図１】本発明の実施例１である部品一体型マニュアル装置１００を示す斜視図である。
【図２】部品Ｐ１、Ｐ２を取り外した場合におけるマニュアルＭ１を示す斜視図である。
【図３】部品一体型マニュアル装置１００において、マニュアルＭ１を折り畳みながら、箱２１、２２、２３、２４、２５を包んでいる状態を示す正面図である。
【図４】部品一体型マニュアル装置１００におけるマニュアルＭ１から箱を取り外した後に、マニュアルＭ１を畳んだ状態を示す図である。
【図５−１】部品一体型マニュアル装置１００を作成する場合の動作を示すフローチャートである。
【図５−２】部品一体型マニュアル装置１００を作成する場合の動作を示すフローチャートである。
【図５−３】部品一体型マニュアル装置１００を作成する場合の動作を示すフローチャートである。
【図６】本発明の実施例２である部品一体型マニュアル装置２００を示す正面図である。
【符号の説明】
【００６３】
１００…部品一体型マニュアル装置、
Ｍ１…マニュアル、
１１、１２、１３、１４、１５…貼付面、
２１…部品Ｐ１の箱、
２２…部品Ｐ２の箱、
２３…部品Ｐ３の箱、
２４…部品Ｐ４の箱、
２５…部品Ｐ５の箱、
３１…部品Ｐ１を使った設定手順、
３２…部品Ｐ２を使った設定手順、
３３…部品Ｐ３を使った設定手順、
３４…部品Ｐ４を使った設定手順、
３５…部品Ｐ５を使った設定手順、
４１…部品Ｐ１の名称、
４２…部品Ｐ２の名称、
５１…部品Ｐ１の概観図、
５２…部品Ｐ２の概観図、
２００…部品一体型マニュアル装置、
Ｍ２…マニュアル、
１４ａ、１５ａ…貼付面、
２４ａ、２５ａ…箱。
【図１】
2009092829.tif 000003
【図２】
2009092829.tif 000004
【図３】
2009092829.tif 000005
【図４】
2009092829.tif 000006
【図５−１】
2009092829.tif 000007
【図５−２】
2009092829.tif 000008
【図５−３】
2009092829.tif 000009
【図６】
2009092829.tif 000010